(57)【特許請求の範囲】
【請求項１】
機器の運転開始を予約する「入」タイマーモード設定手段と、機器の運転停止を予約する「切」タイマーモード設定手段と、運転開始時刻や運転停止時刻を設定する時刻設定手段とを操作部に備え、
前記「入」タイマーモード設定手段により「入」タイマーモードが設定された時、前記時刻設定手段によって設定された運転開始時刻に運転を開始する「入」タイマー運転と、前記「切」タイマーモード設定手段により「切」タイマーモードが設定され時、前記時刻設定手段によって設定された運転停止時刻に運転を停止する「切」タイマー運転と、前記「入」「切」両タイマーモード設定手段により「入」タイマーモードと「切」タイマーモードとが共に設定された時、前記時刻設定手段によって設定された運転開始時刻に運転を開始すると共に前記時刻設定手段によって設定された運転停止時刻に運転を停止する組合せタイマー運転と、をそれぞれ実行する運転制御手段を有する空気調和機のタイマー運転装置において、
前記運転制御手段は、前記「入」タイマー運転と「切」タイマー運転の場合、運転開始時刻と運転停止時刻とが同じ時刻に設定されていても所定のタイマー運転を実行し、かつ、組合せタイマー運転の場合に限り、運転開始時刻と運転停止時刻が同じ時刻に設定されているとタイマー運転を無効にすると共にエラー表示を行う構成としたことを特徴とする空気調和機のタイマー運転装置。
【発明の詳細な説明】
【０００１】
【発明の属する技術分野】
本発明は、タイマー運転機能を有するファンコンベクター、石油温風暖房機等に代表される空気調和機のタイマー運転装置に関するものである。
【０００２】
【従来の技術】
従来一般に、この種の空気調和機では、通常運転機構の他に機器の運転開始を予約する「入」タイマーモード設定手段と、機器の運転停止を予約する「切」タイマーモード設定手段と、運転開始時刻や運転停止時刻を設定する時刻設定手段とを備えたタイマー運転装置を有しており、これらの運転モードが適宜設定されて機器の運転期間が自在に設定できるようになっている。
【０００３】
上記した従来の空気調和機では、前記時刻設定手段によって予約された時刻に機器の運転を開始する「入」タイマー運転や、予約された時刻に機器の運転を停止させる「切」タイマー運転、さらには、両者を併用して予約された時刻に機器の運転を開始し、予約された時刻に運転を停止させる組合せタイマー運転が実行可能である。
【０００４】
また、組合せタイマー運転の場合、運転開始時刻と運転停止時刻が同時刻に設定されると、制御系は運転開始か運転停止の判断できず、運転不能となるといった不都合を無くすため、同時刻設定の場合はタイマー運転を無効とすると共に操作部にエラー表示して使用者に時刻設定にミスが有ったことを知らせるといった制御手段をとるものもあった。
【０００５】
【発明が解決しようとする課題】
しかしながら、上記した従来装置では、上記のように同時刻の設定がされた場合、いかなる運転モードであってもエラーとされていたため、「入」タイマー運転や「切」タイマー運転の場合であっても、同時刻設定することができなくなってしまう。これでは、予め運転開始時刻と運転停止時刻を同時刻に設定しておいて、適宜「入」タイマー運転と「切」タイマー運転を使い分けるといったような操作ができなくなり、使用者にとっては極めて使い勝手の悪いものとなった。
【０００６】
本発明は、上記欠点を解消しようとするものであって、タイマー運転時刻を設定する際に、運転開始時刻と運転停止時刻が同時刻に設定されたとしても、「入」タイマーモードや「切」タイマーモードの場合はエラーとせず、所定のタイマー運転が実行されるようにすることで、機器の操作性を改善した使い勝手の良い空気調和機のタイマー運転装置を提供することを目的としている。
【０００７】
【課題を解決するための手段】
即ち、本発明によれば、機器の運転開始を予約する「入」タイマーモード設定手段と、機器の運転停止を予約する「切」タイマーモード設定手段と、運転開始時刻や運転停止時刻を設定する時刻設定手段とを操作部に備え、前記「入」タイマーモード設定手段により「入」タイマーモードが設定された時、前記時刻設定手段によって設定された運転開始時刻に運転を開始する「入」タイマー運転と、前記「切」タイマーモード設定手段により「切」タイマーモードが設定され時、前記時刻設定手段によって設定された運転停止時刻に運転を停止する「切」タイマー運転と、前記「入」「切」両タイマーモード設定手段により「入」タイマーモードと「切」タイマーモードとが共に設定された時、前記時刻設定手段によって設定された運転開始時刻に運転を開始すると共に前記時刻設定手段によって設定された運転停止時刻に運転を停止する組合せタイマー運転と、をそれぞれ実行する運転制御手段を有する空気調和機のタイマー運転装置において、前記運転制御手段は、前記「入」タイマー運転及び「切」タイマー運転の場合、運転開始時刻と運転停止時刻とが同じ時刻に設定されていても所定のタイマー運転を実行し、かつ、組合せタイマー運転の場合に限り、運転開始時刻と運転停止時刻が同じ時刻に設定されているとタイマー運転を無効にすると共にエラー表示を行う構成としたことを特徴とする。
【０００８】
【発明の実施の形態】
図１は本発明が適用された空気調和機としてのファンコンベクターの概略構造を示す側面図、図２は操作部、図３は本発明のタイマー運転装置の動作フローチャートである。
【０００９】
先ず、図１に基づいて前記ファンコンベクターの構成を説明すれば、１は外装ケースで、正面にエアフィルタ２を取り付けた空気吸込口３が、その下部に温風吹出口４が設けられており、また、外装ケース１の天板に操作部１０が配設されている。
【００１０】
また、前記空気吸込口３に対する機内中央部に熱交換用のフィン付きパイプ５を蛇行・配設して、暖房用の熱交換器６が構成されている。この熱交換器６を構成する前記フィン付きパイプ５の上流側管路２６に、前記熱交換器６に供給される温水の流量を制御する暖房開閉弁２７（熱動弁）が付設されており、その端部が入口栓７を介して循環給湯を成す熱源機の暖房往管路（図示せず）に接続されて、この熱源器の給湯部より高温の温水が熱交換器６に供給されるようになっており、一方、前記フィン付きパイプ５の下流側管路２８の端部が出口栓８（前記入口栓７の裏側に配設されている）を介して前記熱源機の暖房戻管路（図示せず）に接続されて熱交換を終えた温水が熱源機に回収されるようになっている。
【００１１】
また、この熱交換機６の裏側下方に送風機としてのファンモータ９が配設されており、暖房運転時はこのファンモータ９によって空気吸込口３からエアフィルタ２を通して機内に吸い込まれた外気が熱交換機６で所定の温度に暖められて、送風気通路２４を介して温風吹出口４より機器の外に吹き出すようになっている。また、機内の底部に暖房運転の制御を行う制御基板２５が搭載されている。
【００１２】
次に、図２に基づいて前記ファンコンベクターの操作部１０について説明すれば、図中、１１は暖房運転の開始と停止を指示する運転スイッチで、暖房運転中は緑色点灯する。１２は前記温風吹出口４より機器の外に吹き出す温風の風速を切換える風速スイッチで、対応する風速ランプ１８（自動・強・弱のいずれか）が点灯する。
【００１３】
１３は暖房運転の開始を予約する「入」タイマーモード設定手段としての「入」タイマースイッチ、１４は暖房運転の停止を予約する「切」タイマーモード設定手段としての「切」タイマースイッチである。前記「入」タイマースイッチ１３の押下操作で機器が「入」タイマーモードにセットされると「入」タイマーランプ１９が点灯し、前記「切」タイマースイッチ１４の押下操作で機器が「切」タイマーモードにセットされると「切」タイマーランプ２０が点灯する。また「入」タイマースイッチ１３および「切」タイマースイッチ１４の双方が操作されると、機器は組合せタイマーモードにセットされて「入」タイマーランプ１９および「切」タイマーランプ２０が夫々点灯する。
【００１４】
１５は、タイマー運転の開始時刻や停止時刻を選択する時刻切換スイッチ、１６および１７は時刻設定手段としての時刻合せスイッチである。タイマー運転を設定するには、先ず、前記時刻切換スイッチ１５で「入」時刻または「切」時刻を選択する。この際、対応する時刻ランプ２１（現在時刻・「入」時刻・「切」時刻のいずれか）が点灯する。次に前記時刻合せスイッチ１６または１７を操作して、点灯している前記時刻ランプ２１に対応した時刻を設定する。即ち、“「入」時刻”の選択で運転開始時刻が設定でき、“「切」時刻”の選択で運転停止時刻が設定できる。同時に、“現在時刻”の選択でタイマー時間の管理基準となる現在時刻も設定する。時刻の設定が成されると、設定された時刻が一定時間（例えば５秒間）７セグ表示部２３に表示され、その後、再び設定室温と現在室温の表示に自動復帰する。
【００１５】
尚、運転モードの時、前記時刻合せスイッチ１６および１７は室温設定用の室温調整スイッチとして使用される。
【００１６】
次に、図３に示す動作フローチャートに基づいて本発明のタイマー運転装置の制御について説明する。
【００１７】
本発明のタイマー運転装置は、上述したタイマー運転のためのスイッチ設定を基に前記制御基板２５に搭載された運転制御手段としてのマイクロコンピュータ（図示せず）によって制御される。
【００１８】
前記操作部１０の運転スイッチ１１が操作されて機器が運転モードになると、図３に示すタイマールーチンの処理が定期的に実行される。尚、この時点では、前記したタイマー運転のための各種スイッチ設定は終了しているものとする。
【００１９】
先ず、ステップ３０で機器が「入」タイマーモードにセットされているか判定される。「入」タイマーモードであれば、ステップ３１で入時刻と現在時刻が比較され、一致していなければプログラム処理は本タイマールーチンを抜ける（リターン）。この処理ルーチンが繰り返し実行されて、現在時刻が入時刻に達すると、ステップ３２の運転開始処理が実行されて、暖房運転が開始される。このように「入」タイマーモードでは、前記時刻合せスイッチ１６または１７によって設定された運転開始時刻に暖房運転が開始される。
【００２０】
次に、前記ステップ３０のモード判定で、機器が「入」タイマーモードでなければ、ステップ３３で「切」タイマーモードにセットされているか判定される。「切」タイマーモードであれば、ステップ３４で切時刻と現在時刻が比較され、双方の時刻が一致していなければ本タイマールーチンを抜ける。当然のことながら、この処理ルーチンが繰り返し実行されている間、暖房運転が行われている。時間が経過して現在時刻が切時刻に達すると、ステップ３５の運転停止処理が実行されて、暖房運転は停止される。このように「切」タイマーモードでは、前記時刻合せスイッチ１６または１７によって設定された運転停止時刻に暖房運転が停止される。上記した「入」タイマーモードと「切」タイマーモードの処理ルーチンでは、入時刻と切時刻の比較チェック（同時刻設定のチェック）は一切行われない。従って、例え、同時刻設定が成されたとしても、所定のタイマー運転処理（ステップ３２もしくはステップ３５の処理）が実行される。
【００２１】
ステップ３３のモード判定で機器が「切」タイマーモードでない場合は、ステップ３６が実行されて組合せタイマーモードであるか判定される。組合せタイマーモードでない場合、即ち、通常運転の場合はそのまま本タイマールーチンを抜ける。また、ステップ３６のモード判定で、組合せタイマーモードと判定されれば、次のステップ３７で入時刻と切時刻が比較され、もしも同時刻設定が成されていれば、時刻設定ミスと判断してステップ３８が実行され、操作部１０にエラー表示される。エラーの表示形態は、例えば、前記７セグ表示部２３によるＥ表示でも、「入」タイマーランプと「切」タイマーランプの点滅表示でも良い。
【００２２】
使用者がエラー表示により時刻の設定ミスを認識し、夫々異なる時刻に再設定すると、ステップ３７の比較判定は“ＮＯ”となり、ステップ３９が実行されて前記エラー表示は解除される。
【００２３】
次のステップ４０判定処理で、現在時刻が入時刻に達したと判断されると、ステップ４１が実行されて暖房運転が開始される。その後、ステップ４２で現在時刻が切時刻に達したと判断されると、ステップ４３が実行されて暖房運転が停止される。このように組合せタイマーモードでは、前記時刻合せスイッチ１６または１７によって設定された運転開始時刻に暖房運転が開始され、運転停止時刻に暖房運転を停止させるが、運転開始時刻と運転停止時刻が同時刻に設定された場合、タイマー運転は実行されず、エラーが表示される。
【００２４】
【発明の効果】
以上説明したように、本発明によれば、タイマー運転の際、運転開始時刻と運転停止時刻とが同じ時刻に設定された時、「入」タイマー運転と「切」タイマー運転の場合は、エラーとせずに夫々所定のタイマー運転を実行させることができる上、組合せタイマー運転の場合に限ってタイマー運転を実行せずエラー表示するため、使用者は組合せタイマー運転の場合における時刻の設定ミスを即座に認識して新たな時刻を再設定可能にしつつ、「入」タイマー運転と「切」タイマー運転の場合における設定時の操作性が改善され、使い勝手を向上させることができる。
【００２５】
【図面の簡単な説明】
【図１】  本発明が適用されたファンコンベクターの概略構造を示す側面図である。
【図２】  同、ファンコンベクターの操作部を示す図である。
【図３】  本発明のタイマー運転装置の動作フローチャートである。
【符号の説明】
１０ 操作部
１３    「入」タイマーモード設定手段（「入」タイマースイッチ）
１４    「切」タイマーモード設定手段（「切」タイマースイッチ）
１６、１７、   時刻設定手段（時刻合せスイッチ）
【図１】
0003679514.tif 000002
【図２】
0003679514.tif 000003
【図３】
0003679514.tif 000004